(57)【要約】【課題】  電子メールアプリケーションの使い方とメモリの使用効率の改善をする、移動体通信装置、移動体通信装置の電子メールの受信動作方法及びその電子メールの受信動作プログラムを提供する。【解決手段】  メール設定内に、「メールルール」３０３と「フォルダ設定」３０４の項目を用意する。「メールルール」には、受信したメールの送信者名もしくは、件名の指定を可能とした検索条件の登録と、その検索条件に一致した場合のアクションを指定可能とする。「フォルダ設定」には「削除スケジュール」３０６が設定できることを可能とする。メール着信／センターメールの問い合わせ実行、もしくは時計更新のタイミングにて、受信したメールもしくは既に保存されているメールを自動的に削除することや、フォルダ移動、メール転送動作を可能とする。メールルールのアクションに「着信動作有無」の設定を提供する。【選択図】  図３
2005056233.tif 000002
【特許請求の範囲】
【請求項１】
待ち合わせ画面でメールを着信するステップと、
メールメニューからサーバに対し、センターメール問い合わせを実行するステップと、
前記サーバからのメール受信完了後、受信したメール数のループ処理を実行するステップと、
設定されている複数のルールのループ処理を実行するステップと、
所定のルールに設定されている検索条件と一致するメールがあるかどうか検索を行うステップと、
前記所定のルールに設定されている検索条件と一致するメールがあった場合は、そのルールに登録されているアクションを行うステップと、
全ループ処理終了後、ループ処理中に一致したルールが少なくとも１つあり、かつ一致したルールが全て着信動作しない設定の場合には、着信動作を行わず前の状態の表示に戻るステップと、
一つでも着信動作する指定がある場合には、着信動作に移行し、着信画面を表示するステップとを有する移動体通信装置の電子メールの受信動作方法。
【請求項２】
前記検索条件は、「送信者名」、又は、「件名」、又は、「検索語句」である、請求項１に記載の移動体通信装置の電子メールの受信動作方法。
【請求項３】
前記アクションは、「削除」、又は、「指定した移動先フォルダに移動」、又は、「メール転送」である、請求項１に記載の移動体通信装置の電子メールの受信動作方法。
【請求項４】
移動体通信装置内の時計が所定時間更新されるステップと、
保存してある複数のフォルダのループ処理を実行するステップと、
フォルダに削除するスケジュールが設定されているかどうか判断するステップと、
フォルダに削除するスケジュールが設定されている場合は、前記フォルダの削除スケジュールの設定内容の読み出しを行うステップと、
前記移動体通信装置の現在の時刻とその設定内容と比較を行い、一致した場合は、該当フォルダ内のメールの削除を行うステップとを有する移動体通信装置の電子メールの受信動作方法。
【請求項５】
前記フォルダの削除スケジュールの設定内容は、
「日時変更時」、又は、「毎週所定の曜日」、又は、「毎月所定の日」、又は、「毎日所定の時分」、又は、「削除しない」を任意に選択できることで、削除するタイミングを設定可能である、請求項４に記載の移動体通信装置の電子メールの受信動作方法。
【請求項６】
待ち合わせ画面でメールを着信する手段と、
メールメニューからサーバに対し、センターメール問い合わせを実行する手段と、
前記サーバからのメール受信完了後、受信したメール数のループ処理を実行する手段と、
設定されている複数のルールのループ処理を実行する手段と、
所定のルールに設定されている検索条件と一致するメールがあるかどうか検索を行う手段と、
前記所定のルールに設定されている検索条件と一致するメールがあった場合は、そのルールに登録されているアクションを行う手段と、
全ループ処理終了後、ループ処理中に一致したルールが少なくとも１つあり、かつ一致したルールが全て着信動作しない設定の場合には、着信動作を行わず前の状態の表示に戻る手段と、
一つでも着信動作する指定がある場合には、着信動作に移行し、着信画面を表示する手段とを有する移動体通信装置。
【請求項７】
前記検索条件は、「送信者名」、又は、「件名」、又は、「検索語句」である、請求項６に記載の移動体通信装置。
【請求項８】
前記アクションは、「削除」、又は、「指定した移動先フォルダに移動」、又は、「メール転送」である、請求項６に記載の移動体通信装置。
【請求項９】
移動体通信装置内の時計が所定時間更新される手段と、
保存してある複数のフォルダのループ処理を実行する手段と、
フォルダに削除するスケジュールが設定されているかどうか判断する手段と、
フォルダに削除するスケジュールが設定されている場合は、前記フォルダの削除スケジュールの設定内容の読み出しを行う手段と、
前記移動体通信装置の現在の時刻とその設定内容と比較を行い、一致した場合は、該当フォルダ内のメールの削除を行う手段とを有する移動体通信装置。
【請求項１０】
前記フォルダの削除スケジュールの設定内容は、
「日時変更時」、又は、「毎週所定の曜日」、又は、「毎月所定の日」、又は、「毎日所定の時分」、又は、「削除しない」を任意に選択できることで、削除するタイミングを設定可能である、請求項６に記載の移動体通信装置。
【請求項１１】
待ち合わせ画面でメールを着信する処理と、
メールメニューからサーバに対し、センターメール問い合わせを実行する処理と、
前記サーバからのメール受信完了後、受信したメール数のループ処理を実行する処理と、
設定されている複数のルールのループ処理を実行する処理と、
所定のルールに設定されている検索条件と一致するメールがあるかどうか検索を行う処理と、
前記所定のルールに設定されている検索条件と一致するメールがあった場合は、そのルールに登録されているアクションを行う処理と、
全ループ処理終了後、ループ処理中に一致したルールが少なくとも１つあり、かつ一致したルールが全て着信動作しない設定の場合には、着信動作を行わず前の状態の表示に戻る処理と、
一つでも着信動作する指定がある場合には、着信動作に移行し、着信画面を表示する処理とを制御部に実行させるための移動体通信装置の電子メールの受信動作プログラム。
【請求項１２】
前記検索条件は、「送信者名」、又は、「件名」、又は、「検索語句」である、請求項１１に記載の移動体通信装置の電子メールの受信動作プログラム。
【請求項１３】
前記アクションは、「削除」、又は、「指定した移動先フォルダに移動」、又は、「メール転送」である、請求項１１に記載の移動体通信装置の電子メールの受信動作プログラム。
【請求項１４】
移動体通信装置内の時計が所定時間更新される処理と、
保存してある複数のフォルダのループ処理を実行する処理と、
フォルダに削除するスケジュールが設定されているかどうか判断する処理と、
フォルダに削除するスケジュールが設定されている場合は、前記フォルダの削除スケジュールの設定内容の読み出しを行う処理と、
前記移動体通信装置の現在の時刻とその設定内容と比較を行い、一致した場合は、該当フォルダ内のメールの削除を行う処理とを制御部に実行させるための移動体通信装置の電子メールの受信動作プログラム。
【請求項１５】
前記フォルダの削除スケジュールの設定内容は、
「日時変更時」、又は、「毎週所定の曜日」、又は、「毎月所定の日」、又は、「毎日所定の時分」、又は、「削除しない」を任意に選択できることで、削除するタイミングを設定可能である、請求項１４に記載の移動体通信装置の電子メールの受信動作プログラム。
【発明の詳細な説明】
【技術分野】
【０００１】
本発明は、移動体通信装置、移動体通信装置の電子メールの受信動作方法及びその電子メールの受信動作プログラムに関する。
【背景技術】
【０００２】
移動体通信装置（携帯電話、ＰＨＳ）または携帯通信機器でメールをするシーンが多くなってきた現代において、プライベートメールの他に、インターネットコンテンツに情報メールの配信を依頼して、入手することや、広告メールの配信などが行われている。
【０００３】
また、従来の技術として、携帯電話機においては、迷惑メールを自動的に削除する技術があり、受信メールの本文中にキーワードが設定個数以上含まれている場合、その受信メールを迷惑メールとして削除する携帯電話機がある（特許文献１参照。）。
【発明の開示】
【発明が解決しようとする課題】
【０００４】
しかし、上述の従来の技術には、メールの配信情報量が増えたことで以下の問題がある。
【０００５】
第１の問題点は、天気やニュースなどの情報の新鮮度が、当日配信された時は非常に有効であるが、時間経過していくにつれて古くなり、ユーザが削除しない限り端末内に残ってしまうことで、新しいメールを受信するメモリがなくなり、受信ができなくなる。
【０００６】
第２の問題点は、メールの配信情報量が増えたが、着信動作が一律同じ動作であるためその情報の優先度が画面を確認しないと、わからない。
【０００７】
第３の問題点は、携帯電話という限られたキーの数ならびに小さいキーという制限の中でメールを繰り返し削除することは、ストレスを与えてしまう。
【０００８】
本発明の目的は、電子メールアプリケーションの使い方とメモリの使用効率の改善をする、移動体通信装置、移動体通信装置の電子メールの受信動作方法及びその電子メールの受信動作プログラムを提供することにある。
【特許文献１】特開２００３−１５７２１８号公報
【課題を解決するための手段】
【０００９】
本発明の移動体通信装置の電子メールの受信動作方法は、
待ち合わせ画面でメールを着信するステップと、メールメニューからサーバに対し、センターメール問い合わせを実行するステップと、サーバからのメール受信完了後、受信したメール数のループ処理を実行するステップと、設定されている複数のルールのループ処理を実行するステップと、所定のルールに設定されている検索条件と一致するメールがあるかどうか検索を行うステップと、所定のルールに設定されている検索条件と一致するメールがあった場合は、そのルールに登録されているアクションを行うステップと、全ループ処理終了後、ループ処理中に一致したルールが少なくとも１つあり、かつ一致したルールが全て着信動作しない設定の場合には、着信動作を行わず前の状態の表示に戻るステップと、一つでも着信動作する指定がある場合には、着信動作に移行し、着信画面を表示するステップとを有する。
【００１０】
また、検索条件は、「送信者名」、又は、「件名」、又は、「検索語句」であってもよい。
【００１１】
また、アクションは、「削除」、又は、「指定した移動先フォルダに移動」、又は、「メール転送」であってもよい。
【００１２】
本発明の移動体通信装置の電子メールの受信動作方法は、
移動体通信装置内の時計が所定時間更新されるステップと、保存してある複数のフォルダのループ処理を実行するステップと、フォルダに削除するスケジュールが設定されているかどうか判断するステップと、フォルダに削除するスケジュールが設定されている場合は、フォルダの削除スケジュールの設定内容の読み出しを行うステップと、移動体通信装置の現在の時刻とその設定内容と比較を行い、一致した場合は、該当フォルダ内のメールの削除を行うステップとを有する。
【００１３】
また、フォルダの削除スケジュールの設定内容は、「日時変更時」、又は、「毎週所定の曜日」、又は、「毎月所定の日」、又は、「毎日所定の時分」、又は、「削除しない」を任意に選択できることで、削除するタイミングを設定可能であってもよい。
【００１４】
本発明の移動体通信装置は、
待ち合わせ画面でメールを着信する手段と、メールメニューからサーバに対し、センターメール問い合わせを実行する手段と、サーバからのメール受信完了後、受信したメール数のループ処理を実行する手段と、設定されている複数のルールのループ処理を実行する手段と、所定のルールに設定されている検索条件と一致するメールがあるかどうか検索を行う手段と、所定のルールに設定されている検索条件と一致するメールがあった場合は、そのルールに登録されているアクションを行う手段と、全ループ処理終了後、ループ処理中に一致したルールが少なくとも１つあり、かつ一致したルールが全て着信動作しない設定の場合には、着信動作を行わず前の状態の表示に戻る手段と、一つでも着信動作する指定がある場合には、着信動作に移行し、着信画面を表示する手段とを有する。
【００１５】
本発明の移動体通信装置は、
移動体通信装置内の時計が所定時間更新される手段と、保存してある複数のフォルダのループ処理を実行する手段と、フォルダに削除するスケジュールが設定されているかどうか判断する手段と、フォルダに削除するスケジュールが設定されている場合は、フォルダの削除スケジュールの設定内容の読み出しを行う手段と、移動体通信装置の現在の時刻とその設定内容と比較を行い、一致した場合は、該当フォルダ内のメールの削除を行う手段とを有する。
【００１６】
本発明の移動体通信装置の電子メールの受信動作プログラムは、
待ち合わせ画面でメールを着信する処理と、メールメニューからサーバに対し、センターメール問い合わせを実行する処理と、サーバからのメール受信完了後、受信したメール数のループ処理を実行する処理と、設定されている複数のルールのループ処理を実行する処理と、所定のルールに設定されている検索条件と一致するメールがあるかどうか検索を行う処理と、所定のルールに設定されている検索条件と一致するメールがあった場合は、そのルールに登録されているアクションを行う処理と、全ループ処理終了後、ループ処理中に一致したルールが少なくとも１つあり、かつ一致したルールが全て着信動作しない設定の場合には、着信動作を行わず前の状態の表示に戻る処理と、一つでも着信動作する指定がある場合には、着信動作に移行し、着信画面を表示する処理とを制御部に実行させる。
【００１７】
本発明の移動体通信装置の電子メールの受信動作プログラムは、
移動体通信装置内の時計が所定時間更新される処理と、保存してある複数のフォルダのループ処理を実行する処理と、フォルダに削除するスケジュールが設定されているかどうか判断する処理と、フォルダに削除するスケジュールが設定されている場合は、フォルダの削除スケジュールの設定内容の読み出しを行う処理と、移動体通信装置の現在の時刻とその設定内容と比較を行い、一致した場合は、該当フォルダ内のメールの削除を行う処理とを制御部に実行させる。
【００１８】
以上の設定により、メール着信／センターメールの問い合わせ実行、もしくは時計更新のタイミングにて、受信したメールもしくは既に保存されているメールを自動的に削除／フォルダ移動／メール転送動作を可能としたことで、メモリ資源の有効活用、不要なメールの自動削除動作をユーザに提供できるようにしている。さらに「着信動作有無」設定は、不要なメールの着信動作を行わないように、ユーザが任意に設定することを可能とすることで、ＬＣＤの画面を見ることなく、情報の優先度を知ることができる。
【発明の効果】
【００１９】
本発明では、ユーザがメールの件名／宛先の情報の文字を任意に指定し、かつメール受信時の移動機内のアクション（有効期限削除、フォルダ移動、着信動作指定）を指定できることによって、メール情報の重要度、新鮮度が認知できるような、ユーザインターフェースを提供することで、問題点を解決するものであり、本発明には、以下の効果がある。
【００２０】
第１の効果は、メール着信ならびに、センターに問い合わせしたことにより受信したメールに対し、登録した件名や宛先に登録したメールと一致した場合に、自動削除を行うことによって、不要なメールを残さないようメモリの使用効率を上げることができる点である。
【００２１】
第２の効果は、着信動作の実行をユーザで設定できることによって、優先度の低いものは着信動作させないよう、メール情報の優先度を、画面を確認することなく、着信動作で認知しやすいように、自由に設定できるようにした点である。
【００２２】
第３の効果は、保存したメールに対しても削除する日時／時刻を指定できることによって、メールの情報の重要度や新鮮度をユーザの所望する周期にあわせて、自動削除し、着信によって更新できるように可能としたユーザインターフェースを提供できる点である。
【発明を実施するための最良の形態】
【００２３】
（発明の第１の実施の形態）
図１は、移動体端末と、ネットワークとの関係を図式化したものである。携帯電話１から送信したメールは、基地局２を通じてインターネット５を通り、送信先の携帯電話４に近い基地局３と電波のやりとりを行う。
【００２４】
図２は、本発明の第１の実施の形態の構成図である。無線部２０１にて、位置登録、送信、受信スロットの管理を行う。制御部２０２では、ＲＯＭ２０６で記述されたプログラムにより、メールの送受信動作ならびに不揮発メモリ２１３にその内容を保存する。また、メール受信時には表示部２０３やＶＩＢ２０８、ＬＥＤ２０９、スピーカ２１０などで、メールの着信があったことをユーザに伝える機能も有する。また本発明では、携帯電話としてマイク２１１、レシーバ２１２を搭載し音声通信も可能としている。
【００２５】
次に図３〜図５に関して動作の詳細を説明する。
【００２６】
図３は、メール設定画面での表示の流れを説明したものである。「メール設定」３０２には、「メールルール」３０３、「フォルダ設定」３０４の項目を用意し、「メールルール」３０３には、ルールＡ〜Ｈまでの各ルールに対し、メールを抽出する為の検索条件と、検索条件に一致した場合のアクションを指定できることを可能とする。検索条件は、「送信者名」、又は、「件名」、又は、「検索語句」である。「フォルダ設定」３０４に対しては、「削除スケジュール」３０６が設定でき、「日時変更時」「毎週ｘ曜日」「毎月ｘ日」「毎日ｘ時ｘ分」「削除しない」を任意に選択できることで、削除するタイミングを設定可能とする。
【００２７】
図４は、待ち合わせ画面でメールを着信した時の動作ならびに、「メールメニュー」３０１からサーバに対し、センターメール問い合わせした時の動作について記述したものである。サーバからのメール受信完了（Ｓ４０５）後、受信したメール数のループ処理（Ｓ４０６、即ち、Ｓ４０６からＳ４１８までの処理を繰り返すことをいう。）と、設定されているルールＡ〜Ｈまでのループ処理（Ｓ４０７、即ち、Ｓ４０７からＳ４１７までの処理を繰り返すことをいう。）を実行する。ルールｘに設定されている検索条件と一致するメールがあるかどうか検索を行い（Ｓ４０８）、一致するものがあった場合は、そのルールに登録されている、「削除」、「指定した移動先フォルダに移動」、「メール転送」を行う（Ｓ４０９〜Ｓ４１８）。全ループ処理終了後、ループ処理中に一致したルールが少なくとも１つあり、かつ一致したルールが全て着信動作しない設定の場合には（Ｓ４１９）、着信動作を行わず前の状態の表示に戻る（Ｓ４２０）。一つでも着信動作する指定がある場合には、着信動作に移行し、着信画面を表示する（Ｓ４２１）。
【００２８】
図５は、移動機内の時計が１分更新したときの、保存してある受信メールの処理について、記述したソフトゥエアの動作フローチャートである。移動機内の時計が１分更新されたとき（Ｓ５０２）、保存してあるフォルダＡからＨのループ処理（Ｓ５０３、即ち、Ｓ５０３からＳ５１０までの処理を繰り返すことをいう。）を実行する。フォルダｘに削除するスケジュールが設定されているかどうか判断し（Ｓ５０４）、設定されている場合は、その削除スケジュールの設定内容の読み出しを行い（Ｓ５０５）、移動機の現在の時刻とその設定内容と比較を行い、一致した場合は、該当フォルダ内のメールの削除を行う（Ｓ５０６〜Ｓ５０９）。
【００２９】
以上のメールの受信動作は、移動機内のＲＯＭ２０６で記述された電子メールの受信動作プログラムが制御部２０２のマイクロプロセッサの動作を制御し、そして、そのプログラム制御された制御部２０２のマイクロプロセッサが電子メールの受信動作プログラムにより指定されるメールの受信動作処理を行う。
【００３０】
（発明の第２の実施の形態）
本発明の第１の実施の形態では、受信メールに対しての実施の形態としたが、本発明の第２の実施の形態として、送信メールに対しても、同様な検索条件、アクションを指定することを可能とすることで、メモリの使用効率の改善が見込まれる。
【００３１】
（発明の第３の実施の形態）
また、本発明の第３の実施の形態として、検索条件に一致したメールの着信動作の種類を指定することによって、情報の重要度によった着信動作を指定することができる。具体的には、プライベート情報などの着信時には音を鳴動させ、コンテンツからの情報メールに対しては音を鳴動させないようにするなどが可能となる。
【図面の簡単な説明】
【００３２】
【図１】移動体通信の概略図である。
【図２】本発明の第１の実施の形態の構成図である
【図３】本発明の第１の実施の形態のメール設定時の画面表示例である。
【図４】メール受信時のソフトゥエアのフローチャートである。
【図５】移動機の時計更新時のソフトゥエアのフローチャートである。
【符号の説明】
【００３３】
１、４    携帯電話
２、３    基地局
５    インターネット
２０１    無線部
２０２    制御部
２０３    表示部
２０４    操作部
２０５    ＲＡＭ
２０６    ＲＯＭ
２０７    電源管理（充電）
２０８    ＶＩＢ
２０９    ＬＥＤ
２１０    スピーカ
２１１    マイク
２１２    レシーバ
２１３    不揮発メモリ
３０１    「メールメニュー」
３０２    「メール設定」
３０３    「メールルール」
３０４    「フォルダ設定」
３０５    「ルールＡ」
３０６    「削除スケジュール」
【図１】
2005056233.tif 000003
【図２】
2005056233.tif 000004
【図３】
2005056233.tif 000005
【図４】
2005056233.tif 000006
【図５】
2005056233.tif 000007